(57)【要約】【課題】自動心肺蘇生ユニットに対してバックボード上で患者を固定する、従来技術の問題を解決するバックボードを提供することは、本発明の目的と見なされることができる。【解決手段】自動心肺蘇生システムに対するバックボードは、上端、下端、第１の側端及び第２の側端を持ち、面を規定するボード要素と、前記側端に設けられ、自動心肺蘇生ユニットに対する前記バックボードの接続に対して構成されたコネクタのセットと、前記面に対して横方向に、端から離れるように延在する固定化要素の少なくとも１つのセットとを有する。【選択図】図１Ａ
2015157181.tif 000002
【特許請求の範囲】
【請求項１】
自動心肺蘇生システム用のバックボードにおいて、
上端、下端、第１の側端及び第２の側端を持ち、面を規定するボード要素と、
前記側端に設けられ、自動心肺蘇生ユニットに対する前記バックボードの接続に対して構成されるコネクタのセットと、
前記面に対して横方向に、端から離れるように延在する固定化要素の少なくとも１つのセットと、
を有するバックボード。
【請求項２】
前記固定化要素が、前記ボード要素の前記上端に設けられたショルダストップのセットを有する、請求項１に記載のバックボード。
【請求項３】
前記ショルダストップが、前記側端に平行な方向において調節可能である、請求項２に記載のバックボード。
【請求項４】
前記ショルダストップが、前記側端に垂直な方向において調節可能である、請求項２に記載のバックボード。
【請求項５】
前記ショルダストップが、前記ボード要素と一体化されて形成される、請求項２に記載のバックボード。
【請求項６】
前記ショルダストップが、Ｌ字型又は半円形状である、請求項２ないし５のいずれか一項に記載のバックボード。
【請求項７】
前記固定化要素が、前記側端に垂直な方向において及び前記ボード要素の前記面に垂直な方向において前記ボード要素から延長可能なアームの第２のセットを有し、前記コネクタが、前記延長可能なアーム上に配置される、請求項１ないし６のいずれか一項に記載のバックボード。
【請求項８】
前記アームの第２のセットが、前記ボード要素から取り外し可能である、請求項７に記載のバックボード。
【請求項９】
前記アームの第２のセットが、前記ボード要素からスライド可能に延長可能である、請求項７又は８に記載のバックボード。
【請求項１０】
前記アームの第２のセットが、第１の閉じた位置から第２の延長位置まで前記ボード要素に設けられたガイドにおいてガイドされる、請求項９に記載のバックボード。
【請求項１１】
前記アームの第２のセットが、前記ボード要素にヒンジで接続され、延長位置まで回転されることができる、請求項７又は８に記載のバックボード。
【請求項１２】
ハンドルのセットが、前記バックボードに設けられる、請求項１ないし１１のいずれか一項に記載のバックボード。
【請求項１３】
前記ハンドルが、前記ショルダストップの反対側に前記アームの第２のセットに隣接して前記側端において前記ボード要素に設けられる、請求項１２に記載のバックボード。
【請求項１４】
請求項１ないし１３のいずれか一項に記載のバックボードと、
自動心肺蘇生ユニットと、
を有する自動心肺蘇生システム。
【請求項１５】
前記自動心肺蘇生ユニットが、機械式心臓刺激器及び呼吸補助を有する、請求項１４に記載のシステム。
【発明の詳細な説明】
【技術分野】
【０００１】
本発明は、自動心肺蘇生（Ａ−ＣＰＲ）システムにおいて使用するのに適したバックボードに関する。より具体的には、本発明は、自動ＣＰＲを提供しながら患者を支持及び固定するバックボードであって、圧迫及び／又は減圧及び／又は呼吸ユニットが前記バックボードに取り付け可能であるタイプのバックボードに関する。
【背景技術】
【０００２】
自動ＣＰＲシステムは、手動と比較してより信頼できる持続可能な組成を与えるように、自動化形式で心肺蘇生を実行するように設計される。Ａ−ＣＰＲシステムは、典型的には、バックボードと、機械式心臓刺激器、呼吸補助及び場合により電気蘇生用の電極を持つユニットとを有する。使用中に、患者は、背中を下に前記バックボードの上に配置され、Ａ−ＣＰＲユニットが、前記バックボードに取り付けられる。そうする場合に、制御されるが依然として力強い形で、機械式心臓刺激器により提供される力を前記Ａ−ＣＰＲユニットから前記患者の胸骨に移送することが重要である。前記患者の胸骨に及ぼされる力は、前記患者を前記バックボード及び前記Ａ−ＣＰＲユニットに対して移動させる。この効果は、前記患者の胸骨のこのＡ−ＣＰＲシステムの力による移動から生じることができる起こりうる怪我のため、極めて望ましくない。このような怪我は、肋骨の骨折、肝臓の破裂、肺の破裂及び／又は他の力の外傷関連の怪我であることができる。怪我を防ぐために、救急隊員は、前記バックボードにおける前記患者の配置を調整するのに多くの時間を費やさなければならない。当然ながら、これは、蘇生中に精度及び時間が重要であるので、望ましくない。
【０００３】
ＵＳ２００４／０２３０１４０Ａ１は、気道に対する妨げられない又は開いたアクセスに対して適切な開口位置に対象の口を配置すると同時に、前記対象の頭部が頼り、バックプレートの上にあるように十分に高いネックサポートを有するバックボードに接続可能な１つのこのようなＡ−ＣＰＲユニットを開示している。この装置は、使用する場合に前記自動心肺蘇生システム（Ａ−ＣＰＲ）に対する中心位置に正しく患者を配置することに関する、従来のバックボードと共通の問題に悩まされる。これは、長いセットアップ時間を持ち、一度前記Ａ−ＣＰＲユニットが開始され、機械式心臓刺激が開始されると、前記患者は、不十分な固定及び力強い機械式刺激のため、前記バックボード及び前記Ａ−ＣＰＲシステムに対して移動しうる。したがって、場合により、更なる時間が、前記患者を前記バックボード及び前記Ａ−ＰＣＲユニットに対して再配置するのに必要とされうる。
【発明の概要】
【発明が解決しようとする課題】
【０００４】
したがって、改良されたバックボード、特に、より固定し、前記Ａ−ＣＰＲユニットに対してより中心にあり、及び／又はより信頼できるバックボードは、有利である。
【０００５】
したがって、本発明は、好ましくは、上述の不利点の１つ以上を単独で又は組み合わせで軽減、緩和又は除外することを求める。特に、自動心肺蘇生ユニットに対してバックボード上で前記患者を固定する、従来技術の上述の問題を解決するバックボードを提供することは、本発明の目的と見なされることができる。
【課題を解決するための手段】
【０００６】
本発明の一実施例において、バックボードは、ボード要素を有し、前記ボード要素は、面を規定し、様々な患者のボディサイズに適した上端、下端、第１の側端及び第２の側端を持つ。コネクタのセットは、前記第１の及び第２の側端に設けられ、自動心肺蘇生システムに対する前記バックボードの接続に対して構成される。剛体アームとして形成されるショルダストップのセットは、前記ボード要素の上端に設けられ、前記ボード要素により規定される前記面に対して横方向に延在し、頭尾（cranial-caudal）方向における前記患者の固定を助ける。
【０００７】
他の実施例において、前記ショルダストップは、前記第１の及び第２の側端に平行及び／又は垂直な方向において調節可能であることができる。これにより、一又は二次元における前記ショルダストップの調節は、様々な患者の首サイズ及び様々な脇の下から肩までの長さにフィットするために可能にされる。したがって、前記バックボード及び前記Ａ−ＰＣＲユニットに対する前記患者の更なる安定化及び固定が、達成される。
【０００８】
前記ショルダストップは、他の実施例において、前記ボード要素と一体化されて形成される。
【０００９】
いずれかの実施例において、前記ショルダストップは、Ｌ字型又は半円形アームとして形成されることができ、したがって、前記ショルダストップと前記患者の肩との間の良好な接触を提供し、これにより前記バックボード上の前記患者の固定を更に助ける。
【００１０】
他の実施例において、前記バックボードの前記ボード要素は、前記上端に形成されたネックレストを備えることができる。前記ネックレストは、取り付け可能／取り外し可能であることができ、又は前記ボード要素と一体化されて形成されることができる。前記ネックレストは、膨張可能な襟及び／又はパッド及び／又はクッションとして設けられることができる。前記ネックレストは、気道がマウスツーマウス蘇生又は酸素マスクのいずれかによる酸素供給に対して障害がない又は開かれているように首／喉／頭を配置することを可能にする。更に、ネックレストは、前記ショルダストップに首を配置するのを助けることができ、したがって、前記患者の位置を固定することができ、更に、頭部の移動により引き起こされる前記患者の怪我を防ぐことができる。取り外し可能なネックレストは、更に、容易な洗浄を可能にする。
【００１１】
加えて又は代わりに、ショルダストップパディングは、前記ショルダストップの内側に形成されることができる。前記パディングは、膨張可能な襟及び／又はパッド及び／又はクッションの形で形成されることができる。前記パディングは、前記ボード要素に対する横移動に対して前記患者の首を配置及び固定するのを助ける。好ましくは、前記ショルダストップパディングは、完全な洗浄を可能にするために前記ショルダストップから取り外し可能である。
【００１２】
他の実施例において、前記バックボードのボード要素は、加えて又は代わりに、ヘッドレストを備えることができる。前記ヘッドレストは、取り付け可能／取り外し可能なプレート及び／又は格納可能なプレートとして形成されることができる。前記ヘッドレストは、頭部が前記ボード要素に対して移動することを防ぐことにより、前記バックボードが持ち上げられる必要がある場合に前記患者の頭部が支持されることを可能にする。
【００１３】
前記ボード要素、前記ショルダストップ及び／又は前記ヘッドレストは、好ましくは、放射線に対して透明な材料、例えばＸ線のようなスキャン技術において使用されるプラスチックで形成される。これにより、前記患者は、前記バックボード上に配置されながらスキャンされることができ、したがって前記患者に対する支持を提供する。
【００１４】
他の実施例において、前記バックボードの前記ボード要素は、アームの第２のセットを有することができ、前記自動心肺蘇生ユニットに対するコネクタが、前記アームの第２のセットに設けられ、前記アームの第２のセットは、前記第１の及び第２の側端に垂直な方向において及び前記ボード要素により規定される前記面に垂直な方向において前記ボード要素から延長可能である。これにより、前記心肺蘇生ユニットと前記バックボードとの間の接続点は、前記バックボード上に配置された患者に対して上に及び外に移動され、したがって前記心肺蘇生ユニットは、より容易に前記バックボードに接続されることができる。これは、前記患者が、例えば腫れ又は肥満のため、非常に大きい場合でさえ、前記心肺蘇生ユニットの迅速かつ正確かつより穏やかな配置を容易化する。前記バックボードに対する前記心肺蘇生ユニットの接続は、これが（前記患者の胸部に対するアクセスを可能にするように切開されている）前記患者の衣服の緩んだ部分が前記コネクタを覆うことを防ぐので、容易化される。
【００１５】
前記アームの第２のセットの延長は、好ましくは、閉じた位置から延長位置まで前記ボード要素内に形成されたシュートにおいて前記アームの第２のセットがスライドすることにより提供される。代わりに、前記延長は、ヒンジ機構が閉じた位置から延長位置まで前記アームの第２のセットを回転することにより提供されることができる。前記アームの第２のセットは、好ましくは、前記アームを前記閉じた位置及び／又は前記延長位置にロックするロック機構を有する。
【００１６】
前記アームの第２のセットは、プラスチックで形成されることができるか、又は金属で形成されることができる。
【００１７】
一実施例において、前記アームの第２のセットは、前記ボード要素から取り外し可能であることができる。これにより、前記アームの第２のセットは、前記ボード要素及び前記アームの第２のセットの容易な洗浄のために取り外されることができ、これらの部分は、使用中に様々な流体、例えば血液にさらされる。
【００１８】
また、前記アームの第２のセットが金属で形成される実施例において、前記取り外しは、前記バックボードが電磁スキャン中に前記患者を支持するのに使用されることを可能にする。
【００１９】
一実施例において、前記コネクタは、レールとして形成される。したがって、前記自動心肺蘇生ユニットは、胸骨に対する前記自動心肺蘇生ユニットの容易な配置に対してスライド可能であることを可能にされる。前記レールは、前記ボード要素の側端に平行な方向において前記自動心肺蘇生ユニットのスライドを可能にするように形成される。
【００２０】
他の実施例において、前記ボード要素は、前記ショルダストップの反対側の前記アームの第２のセットに隣接した前記第１の及び第２の側端において前記ボード要素上に設けられ、前記バックボードの容易なハンドリングを可能にするハンドルのセットを有することができる。
【００２１】
本発明の第２の態様において、前記目的は、上記の実施例によるバックボード及び自動心肺蘇生ユニットを有する自動心肺蘇生システムにより達成されることができる。
【００２２】
前記自動心肺蘇生ユニットは、好ましくは、機械式心臓刺激器及び呼吸補助を有する。
【００２３】
本発明は、添付の図面を参照して、例としてのみ、ここで説明される。
【図面の簡単な説明】
【００２４】
【図１Ａ】斜視図において、延長位置のアームの第２のセットを持つ本発明によるバックボードを示す。
【図１Ｂ】断面図において、図１Ａのバックボードを示す。
【図１Ｃ】上面図において、図１Ａのバックボードを示す。
【図２】他の斜視図において、図１Ａに示されるバックボードの非延長位置のアームの第２のセットを示す。
【図３】延長位置のアームの第２のセットを持つ図２のバックボードを示す。
【図４】前面図において、非延長位置のアームの第２のセットを持つ図２のバックボードを示す。
【図５】前面図において、延長位置のアームの第２のセットを持つ図２のバックボードを示す。
【図６】上面図において、非延長位置のアームの第２のセットを持つ図２のバックボードを示す。
【図７】上面図において、延長位置のアームの第２のセットを持つ図２のバックボードを示す。
【図８】部分斜視図において、ストレッチャとともに使用する図２のバックボードを示す。
【図９】斜視図において、ネックサポートを持つ、本発明の一実施例によるバックボードを示す。
【図１０】斜視図において、ネックサポート及びヘッドサポートを持つ、本発明の一実施例によるバックボードを示す。
【図１１Ａ】断面図において、切開された衣服を持つ患者が配置された従来のバックボードを示す。
【図１１Ｂ】断面図において、自動心肺蘇生ユニットの取り付け中の患者が配置された従来のバックボードを示す。
【図１２Ａ】断面図において、切開された衣服を持つ患者が配置され、延長位置のアームの第２のセットを持つ、本発明の一実施例によるバックボードを示す。
【図１２Ｂ】断面図において、自動心肺蘇生ユニットの取り付け中の図１２Ａのバックボードを示す。
【図１３】断面図において、第２のアームをスライドする機構の一実施例を示す。
【発明を実施するための形態】
【００２５】
図１Ａ−Ｃにおいて、本発明の一実施例によるバックボード１が示される。前記バックボードは、ボード要素１０及びショルダストップ２０、２１を有する。ボード要素１０は、実質的に平面的であり、上面及び下面１５、１６を持つ（図４参照）。上面１５は、患者の背中に対するレストを提供する。これは、全体的に平面的であることができるか、又は図示されるように、患者の背中に対してより近いフィットを提供するようにわずかに凹形であることができる。ボード要素１０は、面Ｐを規定する。ボード要素１０は、長方形であることができ、更に上端１１、下端１２及び側端１３、１４を有する。他の（図示されない）実施例において、前記ボードは、他の形状、例えば長円形を持つことができる。
【００２６】
バックボード１は、更にショルダストップ２０、２１を有する。ショルダストップ２０、２１は、一実施例において、図１に示されるように、ボード要素１０の一体化された部分として形成され、すなわち、前記バックボードは、例えば鋳造又は他の一部品ピース技術により形成される一部品ピース（one-part piece）である。他の（図示されない）実施例において、ボード要素１０及びショルダストップ２０、２１は、アセンブリを形成し、ここでショルダストップ２０、２１は、ねじ、接着剤、溶接又は他の接続技術によりボード要素１０に接続されることができる。
【００２７】
ショルダストップ２０、２１は、Ａ−ＣＰＲユニットが動作している場合に及び／又はバックボード１が使用中に持ち上げられる、傾けられる又は他の手荒く取り扱われる場合にバックボード１において患者を支持することができるように、剛体の、又は場合によりわずかに可とう性を持つアームとして形成される。
【００２８】
ショルダストップ２０、２１は、ボード要素１０の上端１１に設けられ、側端１３、１４に平行に延在する。ショルダストップ２０、２１を形成する各アームのセクションは、面Ｐに対して横方向に延在する。ショルダストップ２０、２１は、好ましくは、図１Ａ−Ｃに示されるようにＬ字型であるか、又は他の（図示されない）実施例において、半円形、若しくはショルダストップ２０、２１と前記患者の肩との間の近いフィットを可能にする他の形状である。
【００２９】
バックボード１０上に配置された患者の固定は、Ａ−ＣＰＲユニットが前記患者の胸骨に供給する力のため、Ａ−ＣＰＲユニットにおける重要なステップである。胸骨に加えられる力が、前記Ａ−ＣＰＲユニットに対して、主に頭蓋方向に体を移動することが、理解される。この移動は、胸骨を圧迫する場合に前記Ａ−ＣＰＲユニットの機械式心臓刺激器の力により生じる。剛体ショルダストップ２０、２１は、この移動を防ぐ。ネックサポートのみを持つ従来のバックボードにおいて、前記ネックサポートの適度の高さは、前記Ａ−ＣＰＲユニットによる機械式連打のため、及び前記患者の衣服が前記バックボードと前記患者の体との間の摩擦を減少させるので、前記患者が頭蓋方向に移動することを防がない。したがって、前記患者の体が前記ネックサポート上をスライドするリスクが存在する。
【００３０】
バックボード１の（図示されない）他の実施例において、ショルダストップ２０、２１は、側端１３、１４に垂直な方向における、個別のショルダストップ２０、２１の間の距離が変化されることができるように、ボード要素１０に調節可能に接続されることができる。これにより、前記バックボードは、可変の首及び肩幅の患者に対して適合されることができる。
【００３１】
加えて、又は代わりに、ショルダストップ２０、２１は、側端１３、１４に平行な方向において調節可能であることができ、これによりバックボード１が様々な首の幅及び上半身のサイズを持つ患者に対して適合されることを可能にする。
【００３２】
側端１３、１４に垂直な及び／又は平行な方向におけるショルダストップ２０、２１の調節可能性は、前記アームのセクションが、前記ボード要素の裏側に設けられた備品において又はボード要素１０（の裏側）の内又は上に形成される溝又はチャネルにおいてガイドされる前記ショルダストップを形成するにより提供される。
【００３３】
他の実施例において、バックボード１は、例えば襟及び／又はクッション及び／又はパッドの形のネックサポート２２を有することができ（図９及び１０参照）、ネックサポート２２は、バックボード１に対する前記患者の頭部の配置を助けるために及び／又は前記患者の快適性のために設けられる。ネックサポート２２は、酸素供給のために障害のない気道を提供し、前記患者の気道の閉塞を避ける位置に前記患者の首及び頭部を維持するように首を支持し、持ち上げるように構成される。
【００３４】
ネックサポート２２は、ボード要素１０の上端１１においてボード要素１０上に取り外し可能に取り付けられることができる。ネックサポート２２を形成する襟及び／又はクッション及び／又はパッドは、膨張可能な部分として形成されることができる。これにより、前記バックボードの格納用の空間は、使用されない場合に、最小化されることができる。前記ネックサポートの膨張は、前記Ａ−ＣＰＲユニットに関連付けられた酸素共有タンク又は自動膨張を提供する同様の携帯型ガス装置からの酸素の使用により提供されることができる。代わりに、前記襟及び／又はパッド及び／又はクッションは、（ポンプ又は経口膨張により）手動で膨張可能であることができる。
【００３５】
加えて又は代わりに、パッド又はクッションの形式のパディングが、前記患者の首に対向する側でショルダストップ２０、２１上に形成されることができ、前記パディングは、首／喉の快適性及び横向きの固定を提供する。
【００３６】
他の実施例において（図１０参照）、ヘッドレスト２３は、ボード要素１０の上端に設けられる。これにより、バックボード１は、前記患者が前記バックボード上に依然として配置されたまま、前記患者の頭部が前記ボード要素１０に対して傾く又は位置を変えることなしに、持ち上げられ、移動されることができる。これにより、前記患者に対する怪我は、防がれることができる。
【００３７】
ヘッドレスト２３は、前記バックボードが使用中ではない場合に、格納空間を節約するために、取り付け可能／取り外し可能なプレートとして形成されることができる。他の（図示されない）実施例において、前記ヘッドレストは、ボード要素１０から延長可能であることができる。
【００３８】
ボード要素１０は、心肺蘇生ユニットの接続に対して構成されたコネクタ５０，５１のセットを有する。コネクタ５０，５１の形状は、前記自動心肺蘇生ユニット上のコネクタと協働するように構成される。
【００３９】
（図示されない）一実施例において、コネクタ５０，５１は、図１１Ａ、１１Ｂに示される従来の装置と同様に、Ａ−ＣＰＲユニットの接続に対してボード要素１０の側端１３，１４上に設けられる。前記コネクタは、金属材料で形成されてもよく、又は例えば前記ボード要素の一体化部分として、プラスチックで形成されてもよい。
【００４０】
しかしながら、好適な実施例において（例えば図２−３を参照して）、ボード要素１０は、前記側端１３、１４に垂直な方向において及びボード要素１０の前記面Ｐに垂直な方向において前記ボード要素１０から延長可能なアームの第２のセット６０，６１を更に有する。これらの実施例において、コネクタ５０，５１は、拡張可能なアーム６０，６１上に形成される。コネクタ５０，５１は、金属材料で形成されてもよく、又はプラスチックで形成されてもよい。コネクタ５０，５１は、延長可能なアーム６０，６１の一体化部分として形成されてもよい。
【００４１】
アームの第２のセット６０，６１は、前記側端１３，１４に垂直な方向における患者の移動の可能性を減少させ、これによりバックボード１上に前記患者を固定する機能を果たす。アームの第２のセット６０，６１は、閉じた位置から延長位置に調節可能又は延長可能である。前記閉じた位置において、アーム６０，６１上にそれぞれ形成されたコネクタ５０，５１は、図２、４及び６に示されるように、ボード１０の表面１５に隣接して配置される。前記延長位置において、アーム６０，６１上にそれぞれ形成されたコネクタ５０，５１は、図１Ａ−Ｃ、３、５、７及び８に示されるように、面Ｐ（又は表面１５）上の、側端１３，１４から離れた、障害のない位置に延長される。好適な実施例において、前記アームの調節又は延長は、閉じた位置から延長位置までシュートにおいてアーム６０，６１をスライドするスライド機構又は同様のガイド機構により提供される。
【００４２】
他の（図示されない）実施例において、前記アームの調節又は延長は、しかしながら、アーム６０，６１が閉じた位置から延長位置に回転されることができるようなアーム６０，６１の回転を可能にするヒンジにより提供されてもよい。
【００４３】
前記延長位置においてアームの第２のセット６０，６１をロックするロック機構が、設けられてもよい。このようなロック機構は、スプリット及び／又は同様のロック機構により提供されてもよい。
【００４４】
アーム６０，６１の延長、及びこれによるコネクタ５０，５１の延長は、使用中に、コネクタ５０，５１に対するアクセスを妨害することを防ぐために更に有利である。コネクタ５０，５１が前記バックボードの前記側端における位置（本発明の本実施例におけるアームの第２のセット６０，６１の前記の閉じた位置と同様の位置）に配置された従来の装置の場合（図１１Ａ及び１１Ｂを参照すると）、前記患者の切開された衣服は、図１１Ａに示されるように、前記コネクタに対するアクセスを防ぐ。更に、前記患者が、例えば外傷により引き起こされた腫れ又は肥満のため、大きい場合、延長可能なアーム６０，６１は、アームの第２のセット６０，６１が延長位置にスライドすることを可能にし、したがって、前記患者に対する損傷を誘発することなしに、前記Ａ−ＣＰＲユニットがコネクタ５０，５１に接続可能であることを可能にする。図１１Ｂにおいて、どのようにして患者の体が、前記従来の装置においてＡ−ＣＰＲユニットの取り付けを妨害しうるかが示されている。図１２Ｂにおいて、どのようにしてアームの第２のセット６０，６１が、コネクタ５０，５１に対するＡ−ＣＰＲユニットの容易な取り付けを可能にしうるかが示されている。
【００４５】
コネクタ５０，５１は、好ましくは、円形断面のレールとして形成される（図２参照）。他の（図示されない）実施例において、コネクタ５０，５１は、正方形又は三角形のような他の断面形状のレールを持つように形成されてもよい。これにより、コネクタ５０，５１は、前記Ａ−ＣＰＲユニットをスライドし、前記患者のサイズ及び形状に依存して、前記患者及び前記バックボードに対する所望の位置において前記コネクタに固定することにより高速かつ容易に前記Ａ−ＣＰＲユニットを側端１３，１４に平行な方向に位置調整する可能性を提供する。
【００４６】
他の（図示されない）実施例において、前記アームは、ボード要素１０から取り外し可能でありうる。これにより、アームの第２のセット６０，６１は、取り外されることができ、ボード要素１０及びアーム６０，６１は、効率的に洗浄及び消毒されることができる。これは、使用中に前記バックボードが血液及び／又は他の流体にさらされる大きなリスクが存在するので、重要である。
【００４７】
ボード要素１０は、好ましくは、一般的なスキャンシステム、例えばＸ線に対して透明な材料で形成されることができる。このような材料は、プラスチック及び／又は同様の材料でありうる。これにより、患者は、前記患者を前記バックボード上の支持位置から移動することにより前記患者に対する不要な負担又はリスクを与えることなしに、迅速にスキャンシステムまでバックボード１上で移動されることができる。
【００４８】
更に、ショルダストップ２０，２１、及び／又はネックサポート２２、及び／又はヘッドサポート２３は、プラスチックのような、一般的なスキャンシステムに対して透明な材料で形成されることができる。
【００４９】
更に、例えば救急隊員により他の機器及び／又は患者に加えて運ばれる必要のあるバックボード１は、重量を最小化する軽量材料で形成されることができる。また、前記軽量材料は、異なる力の救急隊員にとって操作しやすくすることによりバックボード１の操作を容易にする。
【００５０】
バックボード１は、更に、前記側端においてボード要素１０に配置されたハンドルのセットを有しうる。前記ハンドルは、ボード要素１０と一体化して形成されることができる。前記ハンドルは、ショルダストップ２０，２１の反対側にアームの第２のセット６０，６１に隣接してボード要素１０上に配置されることができる。このようなハンドルは、バックボード１の操作を容易にし、これにより前記バックボード上の前記患者の配置及び／又は再配置、並びに前記Ａ−ＣＰＲユニットの配置を容易にする。他の実施例において、ハンドルは、下端１２に（図示されない）及び／又は上端１１に（図示されない）及び／又はショルダストップ上に（例えば図１を参照）配置されることができる。
【００５１】
他の（図示されない）実施例において、ボード要素１０は、移送を容易にし、使用されない場合に格納に対する前記装置のサイズを減少させるように側端１３、１４に平行又は垂直な軸に沿って折り畳み可能であることもできる。
【００５２】
バックボード１は、ボード要素１０の裏側１６の曲がり又は凸性により、図８に示されるように、ストレッチャの形状に合うように成形されることができる。これにより、救急隊員は、最初に前記患者を前記バックボードから取り外すことなしに前記患者をストレッチャ上に持ち上げることができ、これにより前記患者を常に支持位置に保ち、時間を節約することができる。更に、ボード要素１０の裏側１６の曲がり又は凸性は、前記患者をバックボード１上にすくい上げるプロセスを容易にすることができる。
【００５３】
本発明は、特定の実施例と関連して記載されているが、ここに記載された特定の形式に限定されることは意図されない。むしろ、本発明の範囲は、添付の請求項によってのみ限定される。請求項において、用語"有する"は、他の要素又はステップの存在を除外しない。加えて、個別のフィーチャが、異なる請求項に含まれることができるが、これらは、場合により、有利に組み合わせられることができ、異なる請求項における包含は、フィーチャの組み合わせが実行可能及び／又は有利ではないことを意味しない。加えて、単数形の言及は、複数を除外しない。したがって、"ある"、"第１の"、"第２の"等に対する言及は、複数を除外しない。更に、請求項内の参照符号は、範囲を限定すると解釈されるべきでない。
【符号の説明】
【００５４】
１  バックボード
１０  ボード要素
１１  上端
１２  下端
１３、１４  側端
１５  上面
１６  下面
２０、２１  ショルダストップ
２２  ネックサポート
２３  ヘッドレスト
５０、５１  コネクタ
６０、６１  アーム
【図１Ａ】
2015157181.tif 000003
【図１Ｂ】
2015157181.tif 000004
【図１Ｃ】
2015157181.tif 000005
【図２】
2015157181.tif 000006
【図３】
2015157181.tif 000007
【図４】
2015157181.tif 000008
【図５】
2015157181.tif 000009
【図６】
2015157181.tif 000010
【図７】
2015157181.tif 000011
【図８】
2015157181.tif 000012
【図９】
2015157181.tif 000013
【図１０】
2015157181.tif 000014
【図１１Ａ】
2015157181.tif 000015
【図１１Ｂ】
2015157181.tif 000016
【図１２Ａ】
2015157181.tif 000017
【図１２Ｂ】
2015157181.tif 000018
【図１３】
2015157181.tif 000019
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
自動心肺蘇生システム用のバックボードにおいて、
上端、下端、第１の側端及び第２の側端を持ち、面を規定するボード要素と、
前記第１及び第２の側端に設けられ、自動心肺蘇生ユニットに対する前記バックボードの接続に対して構成されるコネクタのセットと、
前記面に対して横方向に、端から離れるように延在する固定化要素の少なくとも１つのセットと、
を有し、
前記固定化要素が、前記側端に垂直な方向において及び前記ボード要素の前記面に垂直な方向において前記ボード要素から延長可能なアームの第２のセットを有し、前記コネクタが、前記延長可能なアーム上に配置される、
バックボード。
【請求項２】
前記固定化要素が、前記ボード要素の前記上端に設けられたショルダストップのセットを有する、請求項１に記載のバックボード。
【請求項３】
前記ショルダストップが、前記側端に平行な方向において調節可能である、請求項２に記載のバックボード。
【請求項４】
前記ショルダストップが、前記側端に垂直な方向において調節可能である、請求項２に記載のバックボード。
【請求項５】
前記ショルダストップが、前記ボード要素と一体化されて形成される、請求項２に記載のバックボード。
【請求項６】
前記ショルダストップが、Ｌ字型又は半円形状である、請求項２ないし５のいずれか一項に記載のバックボード。
【請求項７】
前記アームの第２のセットが、前記ボード要素から取り外し可能である、請求項１に記載のバックボード。
【請求項８】
前記アームの第２のセットが、前記ボード要素からスライド可能に延長可能である、請求項１又は７に記載のバックボード。
【請求項９】
前記アームの第２のセットが、第１の閉じた位置から第２の延長位置まで前記ボード要素に設けられたガイドにおいてガイドされる、請求項８に記載のバックボード。
【請求項１０】
前記アームの第２のセットが、前記ボード要素にヒンジで接続され、延長位置まで回転されることができる、請求項１又は７に記載のバックボード。
【請求項１１】
ハンドルのセットが、前記バックボードに設けられる、請求項１ないし１０のいずれか一項に記載のバックボード。
【請求項１２】
前記ハンドルが、前記ショルダストップの反対側に前記アームの第２のセットに隣接して前記側端において前記ボード要素に設けられる、請求項１１に記載のバックボード。
【請求項１３】
請求項１ないし１２のいずれか一項に記載のバックボードと、
自動心肺蘇生ユニットと、
を有する自動心肺蘇生システム。
【請求項１４】
前記自動心肺蘇生ユニットが、機械式心臓刺激器及び呼吸補助を有する、請求項１３に記載のシステム。